【事件の表示】
　特願２０１４−１４８２０６「遊技機」拒絶査定不服審判事件〔平成２８年　２月　８日出願公開、特開２０１６−　２２１６４〕について、次のとおり審決する。
【結　論】
　本件審判の請求は、成り立たない。
【理　由】
第１　手続の経緯
　本願は、平成２６年７月１８日の出願であって、平成２７年８月１７日付けで拒絶の理由が通知され、平成２７年１０月１９日に意見書及び手続補正書が提出され、平成２８年４月２０日付けで拒絶の理由が通知され、平成２８年６月２４日に意見書及び手続補正書が提出され、平成２８年１０月２８日付けで最後の拒絶の理由が通知され、平成２９年１月５日に意見書及び手続補正書が提出されたところ、平成２９年１月２０日付けで、平成２９年１月５日付け手続補正が却下されるとともに拒絶査定がなされ、これに対して、平成２９年４月４日に拒絶査定不服審判の請求がなされると同時に手続補正がなされたものである。
第２　平成２９年４月４日付けの手続補正についての補正却下の決定
［補正却下の決定の結論］
　平成２９年４月４日付けの手続補正（以下「本件補正」という。）を却下する。
［理由］
１　本件補正の概要
　本件補正は、特許請求の範囲の請求項１を補正する内容を含んでおり、本件補正により、特許請求の範囲の請求項１は、平成２８年６月２４日付けの手続補正書における、
「【請求項１】
　遊技を制御する第１制御手段及び第２制御手段と、
　前記第１制御手段により制御され、始動条件が成立すると変動表示を開始し、所定の当り態様が表示されると遊技者にとって有利な特別遊技が発生することを報知する変動表示手段と、
　前記第２制御手段により制御され、遊技機が所定の状態になった場合に所定の表示態様に発光表示する複数の発光表示手段と
　を備えた遊技機であって、
　前記複数の発光表示手段は、前記変動表示手段が変動中か停止中かを識別可能に報知することのみに用いられる識別表示手段を含み、
　前記識別表示手段は、他の発光表示手段とは別体に設けられ、
　前記第２制御手段は、
　遊技機が所定の異常状態になった場合、前記複数の発光表示手段を所定の異常報知態様に発光制御するものの、前記識別表示手段については該異常報知態様の発光制御から除外すると共に、
　前記他の発光表示手段を前記異常報知態様に発光制御している場合であっても、前記識別表示手段については、前記変動表示手段が変動中か停止中かを識別可能に報知することを特徴とする遊技機。」
から、平成２９年４月４日付けの手続補正書における、
「【請求項１】
Ａ　遊技を制御する第１制御手段及び第２制御手段と、
Ｂ　前記第１制御手段により制御され、始動条件が成立すると変動表示を開始し、所定の当り態様が表示されると遊技者にとって有利な特別遊技が発生することを報知する変動表示手段と、
Ｃ　前記第２制御手段により制御され、遊技機が所定の状態になった場合に所定の表示態様に発光表示する複数の発光表示手段と
、
Ｄ　
前記発光表示手段の輝度／照度を変更可能な変更手段と、
　を備えた遊技機であって、
Ｅ　前記複数の発光表示手段は、前記変動表示手段が変動中か停止中かを識別可能に報知することのみに用いられる識別表示手段を含み、
Ｆ　前記識別表示手段は、他の発光表示手段とは別体に設けられ、
Ｇ　
前記変更手段により前記複数の発光表示手段の輝度／照度を低い表示状態に変更する場合であっても、前記識別表示手段は前記低い表示状態に変更されず、
Ｈ　前記第２制御手段は、
　
前記変更手段により前記複数の発光手段の輝度／照度が低い表示状態に変更されているときであって、
Ｉ　前記他の発光表示手段を前記異常報知態様に発光制御している場合であっても、前記識別表示手段については、前記変動表示手段が変動中か停止中かを識別可能に報知することを特徴とする遊技機。」
に補正された（下線部は補正箇所を示す。また、Ａ〜Ｉは、分説するために当審にて付した。）。
２　補正の適否
　本件補正は、補正前の請求項１に記載した発明を特定するために必要な事項である「識別表示手段」に関して、遊技機は「前記発光表示手段の輝度／照度を変更可能な変更手段」を備え、「前記変更手段により前記複数の発光表示手段の輝度／照度を低い表示状態に変更する場合であっても、前記識別表示手段は前記低い表示状態に変更され」ない点を限定すると共に、補正前の請求項１に記載した発明を特定するために必要な事項である「遊技機が所定の異常状態になった場合、前記複数の発光表示手段を所定の異常報知態様に発光制御するものの、前記識別表示手段については該異常報知態様の発光制御から除外する」との事項に関して、「前記変更手段により前記複数の発光手段の輝度／照度が低い表示状態に変更されているときであって、遊技機が所定の異常状態になった場合、前記複数の発光表示手段を所定の異常報知態様に発光制御するものの、前記識別表示手段については該異常報知態様の発光制御から除外する」と限定するものである。
　また、補正前の請求項１に記載された発明と補正後の請求項１に記載される発明の産業上の利用分野及び解決しようとする課題は同一である。
　したがって、本件補正は、特許法第１７条の２第５項第２号の特許請求の範囲の減縮を目的とするものに該当する。
　そして、本件補正は、新規事項を追加するものではない。
３　独立特許要件について
　本件補正後の請求項１に記載された発明（以下「本願補正発明」という。）が特許出願の際独立して特許を受けることができるものであるか（特許法第１７条の２第６項において準用する同法第１２６条第７項の規定に適合するか）について以下に検討する。
（１）本願補正発明
　本願補正発明は、上記１の本件補正の概要において示したとおりのものである。
（２）刊行物
（２−１）刊行物１に記載された発明
　原査定の拒絶の理由に引用文献１として引用され、本願の出願前に頒布された刊行物である特開２０１３−４６６８０号公報（以下「刊行物１」という。）には、図面とともに以下の事項が記載されている（下線は当審で付した。以下同じ。）。  
（１−ａ）　「【００５１】
　以下、本発明の実施形態について、図面を参照しながら説明する。
　図１は、
パチンコ遊技機（以下、「パチンコ機」と略称する。）１
（１−ｂ）　「【００８１】
　第１特別図柄作動記憶ランプ３４ａは、
上記の右始動入賞口２６に遊技球が流入するごとに、入賞が発生したことを記憶する意味で１個ずつ増加後の表示態様へと変化していき（最大４個まで）、その入賞を契機として特別図柄の変動が開始される
（１−ｃ）　「【０１４０】
〔制御上の構成〕
　次に、パチンコ機１の制御に関する構成について説明する。図１５は、パチンコ機１に装備された各種の電子機器類を示すブロック図である。パチンコ機１は、制御動作の中枢となる主制御装置７０（主制御用コンピュータ、異常状態判定手段、放出事象異常状態判定手段、中間事象異常状態判定手段）を備えており、
この主制御装置７０は主に、パチンコ機１における遊技の進行を制御する機能を有している。
【０１４１】
　また
主制御装置７０には、中央演算処理装置である主制御ＣＰＵ７２（異常状態判定手段、放出事象異常状態判定手段、中間事象異常状態判定手段）を実装した回路基板（主制御基板）が装備されており、
・・・
【０１４４】
　上述した普通図柄表示装置３３や普通図柄作動記憶ランプ３３ａ、
第１特別図柄表示装置３４、第２特別図柄表示装置３５、第１特別図柄作動記憶ランプ３４ａ、第２特別図柄作動記憶ランプ３５ａ及び遊技状態表示装置３８は、主制御ＣＰＵ７２からの制御信号に基づいて表示動作を制御されている。
（１−ｄ）　「【０１５５】
　またパチンコ機１は制御上の構成として、演出制御装置１２４（演出制御用コンピュータ、開示手段）を備えている。
この演出制御装置１２４は、パチンコ機１における遊技の進行に伴う演出の制御を行う。演出制御装置１２４にもまた、中央演算処理装置である演出制御ＣＰＵ１２６を実装した回路基板（複合サブ制御基板）が装備されている。
【０１５６】
　また演出制御装置１２４には、図示しない入出力ドライバや各種の周辺ＩＣが装備されている他、ランプ駆動回路１３２や音響駆動回路１３４が装備されている。
演出制御ＣＰＵ１２６は、主制御ＣＰＵ７２から送信される演出用のコマンドに基づいて演出の制御を行い、ランプ駆動回路１３２や音響駆動回路１３４に指令を与えて各種ランプ４６〜５２や盤面ランプ５３を発光させたり、スピーカ５４，５５，５６から実際に効果音や音声等を出力させたりする処理を行う。
・・・
【０１６２】
　演出制御ＣＰＵ１２６のＲＯＭ１２８には、演出の制御に関する基本的なプログラムが格納されており、
演出制御ＣＰＵ１２６は、このプログラムに沿って演出の制御を実行する。演出の制御には、上記のように各種ランプ４６〜５３等やスピーカ５４，５５，５６を用いた演出の制御が含まれる他、液晶表示器４２を用いた画像表示による演出の制御が含まれる。
（１−ｅ）　「【０３２２】
　ステップＳ４０００：特別図柄停止表示中処理では、
主制御ＣＰＵ７２は第１特別図柄表示装置３４又は第２特別図柄表示装置３５の駆動制御を行う。
これにより特別図柄の停止表示が行われる。
【０３２３】
　ステップＳ５０００：
可変入賞装置管理処理は、先の特別図柄停止表示中処理において当りの態様（非当選以外の態様）で特別図柄が停止表示された場合に選択される。例えば、特別図柄が１５ラウンド大当りの態様で停止表示されると、それまでの通常状態から大当り遊技状態（遊技者にとって有利な特別遊技状態）に移行する契機が発生する。
（１−ｆ）　「【０４８３】
　また演出図柄の変動表示中、例えば
液晶表示器４２の画面下部には第４図柄（図中に参照符号Ｚ１，Ｚ２を付す）が表示されている。
なお第４図柄Ｚ１，Ｚ２は、単純なマーク（例えば「□」の図形）に色彩を付しただけのものであり、例えばその表示色を変化させることで変動表示を表現することができる。第４図柄Ｚ１は、第１特別図柄に対応しており、
（１−ｇ）　「【０５２７】
〔異常状態中〕
　図４６中（Ｈ１）：
付着物２５５が付着した羽部材２０５ａが左側の突起部２０６ａに接触していた状態（異常状態中）
【０５２８】
〔変動表示中、エラー警告開示〕
　図４６中（Ｈ２）：液晶表示器４２の表示画面上では画面の中段位置に数字の「５」を表す態様で右演出図柄の変動が停止され、中演出図柄に関してはスクロール変動が続行されている。また、
右始動入賞口２６への入賞が連続して５回発生したことに対応して、表示画面中に「エラー発生！係員を呼んでください！」といったエラー警告文が開示（報知）される。
【０５２９】
　また、特別図柄に関する変動表示は所定の変動時間通りに実行され、上記のように球振り分け装置２００に関する
異常状態等のエラーが検出されたからといって、変動表示を一旦停止したり変動時間を延長したりすることはない。
表示画面上で行われる演出については変化することなく通常通りに実行される。
【０５３０】
　なお、
液晶表示器４２におけるエラー警告文の開示と共に、パチンコ機１に備えられているエラーランプや遊技枠ランプ４６、４８、５０、５２を点灯（点滅）させたり、スピーカ５４等の音響装置からエラー用のサウンドを出力したりしてもよい。
　上記（１−ａ）〜（１−ｇ）の記載事項から、以下（１−ｈ）〜（１−ｊ）の事項が導かれる。
（１−ｈ）上記記載事項（１−ｂ）には、「上記の右始動入賞口２６に遊技球が流入するごとに、入賞が発生したことを記憶する意味で１個ずつ増加後の表示態様へと変化していき（最大４個まで）、その入賞を契機として特別図柄の変動が開始される」（段落【００８１】）と記載されているから、右始動入賞口２６に遊技球が流入することを契機として特別図柄の変動表示が開始されるといえる。
　また、上記記載事項（１−ｅ）には、「主制御ＣＰＵ７２は第１特別図柄表示装置３４又は第２特別図柄表示装置３５の駆動制御を行う。」、「これにより特別図柄の停止表示が行われる。」（段落【０３２２】）及び、「可変入賞装置管理処理は、先の特別図柄停止表示中処理において当りの態様（非当選以外の態様）で特別図柄が停止表示された場合に選択される。例えば、特別図柄が１５ラウンド大当りの態様で停止表示されると、それまでの通常状態から大当り遊技状態（遊技者にとって有利な特別遊技状態）に移行する契機が発生する。」（段落【０３２３】）と記載されているから、第１特別図柄表示装置３４は、遊技者にとって有利な特別遊技状態に移行する場合には当りの態様で特別図柄を停止表示するものといえる。
　さらに、上記記載事項（１−ｃ）には、「第１特別図柄表示装置３４」「は、主制御ＣＰＵ７２からの制御信号に基づいて表示動作を制御されている。」（段落【０１４４】）と記載されており、「主制御装置７０には、中央演算処理装置である主制御ＣＰＵ７２（異常状態判定手段、放出事象異常状態判定手段、中間事象異常状態判定手段）を実装した回路基板（主制御基板）が装備されており、」（段落【０１４１】）との記載より、主制御ＣＰＵ７２は主制御装置７０が備えたものであるから、第１特別図柄表示装置３４は、主制御装置７０により制御されるといえる。
　したがって、刊行物１には、
主制御装置７０により制御され、右始動入賞口２６に遊技球が流入することを契機として特別図柄の変動表示を開始し、遊技者にとって有利な特別遊技状態に移行する場合に当りの態様で特別図柄を停止表示する第１特別図柄表示装置３４
（１−ｉ）上記記載事項（１−ｄ）には、「演出制御ＣＰＵ１２６は、主制御ＣＰＵ７２から送信される演出用のコマンドに基づいて演出の制御を行い、ランプ駆動回路１３２や音響駆動回路１３４に指令を与えて各種ランプ４６〜５２や盤面ランプ５３を発光させたり、スピーカ５４，５５，５６から実際に効果音や音声等を出力させたりする処理を行う。」（段落【０１５６】）及び「演出制御ＣＰＵ１２６は、このプログラムに沿って演出の制御を実行する。演出の制御には、上記のように各種ランプ４６〜５３等やスピーカ５４，５５，５６を用いた演出の制御が含まれる他、液晶表示器４２を用いた画像表示による演出の制御が含まれる。」（段落【０１６２】）と記載されているから、演出制御ＣＰＵ１２６により、主制御装置７０から送信される演出用のコマンドに基づいて制御される各種ランプ４６〜５３及び液晶表示器４２が記載されているといえる。
　また、「演出制御装置１２４にもまた、中央演算処理装置である演出制御ＣＰＵ１２６を実装した回路基板（複合サブ制御基板）が装備されている。」（段落【０１５５】）との記載より、演出制御ＣＰＵ１２６は演出制御装置１２４が備えたものであるから、演出制御ＣＰＵ１２６により制御されることは、演出制御装置１２４により制御されることといえる。
　したがって、刊行物１には、
演出制御装置１２４により、主制御装置７０から送信される演出用のコマンドに基づいて制御される各種ランプ４６〜５３及び液晶表示器４２
（１−ｊ）上記記載事項（１−ｇ）には、「異常状態中」（段落【０５２７】）、「右始動入賞口２６への入賞が連続して５回発生したことに対応して、表示画面中に「エラー発生！係員を呼んでください！」といったエラー警告文が開示（報知）される。」（段落【０５２８】）及び「液晶表示器４２におけるエラー警告文の開示と共に、パチンコ機１に備えられているエラーランプや遊技枠ランプ４６、４８、５０、５２を点灯（点滅）させたり、スピーカ５４等の音響装置からエラー用のサウンドを出力したりしてもよい。」（段落【０５３０】）と記載されているから、刊行物１には、異常状態となり右始動入賞口２６への入賞が連続して５回発生したことに対応して、表示画面中にエラー警告文を開示し、遊技枠ランプ４６、４８、５０、５２を点灯させることが記載されているといえる。また、上記認定事項（１−ｉ）より、「各種ランプ４６〜５２及び液晶表示器４２」は「演出制御装置１２４により、主制御装置７０から送信される演出用のコマンドに基づいて制御される」ものであるから、主制御装置７０が、表示画面中にエラー警告文を開示し、遊技枠ランプ４６、４８、５０、５２を点灯させるといえる。
　また、上記記載事項（１−ｇ）には、「異常状態等のエラーが検出されたからといって、変動表示を一旦停止したり変動時間を延長したりすることはない。」、「表示画面上で行われる演出については変化することなく通常通りに実行される。」（段落【０５２９】）と記載されているから、刊行物１には、異常状態等のエラーが検出されても変動表示を一旦停止したり変動時間を延長したりすることはなく、表示画面上で行われる演出については変化することなく通常通りに実行することが記載されているといえる。
　したがって、刊行物１には、
演出制御装置１２４は、異常状態となり右始動入賞口２６への入賞が連続して５回発生したことに対応して、表示画面中にエラー警告文を開示し、遊技枠ランプ４６、４８、５０、５２を点灯させ、また、異常状態等のエラーが検出されても変動表示を一旦停止したり変動時間を延長したりすることはなく、表示画面上で行われる演出については変化することなく通常通りに実行する
　上記（１−ａ）〜（１−ｇ）の記載事項及び（１−ｈ）〜（１−ｊ）の認定事項を総合すると、刊行物１には、次の発明（以下「刊行物１発明」という。）が記載されていると認められる。（ａ〜ｉは、本願補正発明のＡ〜Ｉに対応させて付した。）
「ａ　遊技の進行を制御する主制御装置７０及び遊技の進行に伴う演出の制御を行う演出制御装置１２４と、（段落【０１４０】、段落【０１５５】）
ｂ　主制御装置７０により制御され、右始動入賞口２６に遊技球が流入することを契機として特別図柄の変動表示を開始し、遊技者にとって有利な特別遊技状態に移行する場合に当りの態様で特別図柄を停止表示する第１特別図柄表示装置３４と、（認定事項（１−ｈ））
ｃ　演出制御装置１２４により、主制御装置７０から送信される演出用のコマンドに基づいて制御される各種ランプ４６〜５３及び液晶表示器４２と、（認定事項（１−ｉ））
　を備えたパチンコ遊技機１であって、（段落【００５１】）
ｅ　液晶表示器４２の画面下部には、第１特別図柄に対応し、その表示色を変化させることで変動表示を表現する第４図柄が表示され、（段落【０４８３】）
ｈ、ｉ　演出制御装置１２４は、異常状態となり右始動入賞口２６への入賞が連続して５回発生したことに対応して、表示画面中にエラー警告文を開示し、遊技枠ランプ４６、４８、５０、５２を点灯させ、また、異常状態等のエラーが検出されても変動表示を一旦停止したり変動時間を延長したりすることはなく、表示画面上で行われる演出については変化することなく通常通りに実行するパチンコ遊技機１。（認定事項（１−ｊ））」
（２−２）刊行物２に記載された事項
　原査定の拒絶の理由に引用文献２として引用され、本願の出願前に頒布された刊行物である特開２０１４−３０４５４号公報（以下「刊行物２」という。）には、図面とともに以下の事項が記載されている（下線は当審で付した。以下同じ。）。
（２−ａ）　「【０６６０】
　図６３は、本第４実施形態における、
パチンコ機１０
【０６６１】
　図６４は、本第４実施形態におけるパチンコ機１０の電気的構成を示したブロック図である。図６４に示すように、第４実施形態では、第１実施形態の電気的構成（図８参照）に対して、音声ランプ制御装置１１３と表示制御装置１１４とが相互に通信可能に接続されるように変更され、音声ランプ制御装置１１３によって点灯制御されるように電気的に接続された第４図柄ＬＥＤ９００が追加されている。その他の構成については、第１実施形態と同一の構成であるので、その詳細な説明を省略する。
【０６６２】
　
第４図柄ＬＥＤ９００は、主制御装置１１０が第１図柄表示装置３７により点灯制御する第１図柄と表示制御装置１１４が第３図柄制御装置８１に変動表示する第３図柄と同期して音声ランプ制御装置１１３によって点灯制御される第４図柄を表示するためのＬＥＤである。
この第４図柄ＬＥＤ９００が点灯表示する第４図柄は、第３図柄表示装置８１に表示される第３図柄と同期して点灯表示することで、第３図柄（第１図柄）の変動表示中であることを遊技者に分かり易く報知するための図柄である。
　上記（２−ａ）の記載事項から、以下（２−ｂ）、（２−ｃ）の事項が導かれる。
（２−ｂ）上記記載事項（２−ａ）には、「第４図柄ＬＥＤ９００は、主制御装置１１０が第１図柄表示装置３７により点灯制御する第１図柄と表示制御装置１１４が第３図柄制御装置８１に変動表示する第３図柄と同期して音声ランプ制御装置１１３によって点灯制御される第４図柄を表示するためのＬＥＤである。」及び「この第４図柄ＬＥＤ９００が点灯表示する第４図柄は、第３図柄表示装置８１に表示される第３図柄と同期して点灯表示することで、第３図柄（第１図柄）の変動表示中であることを遊技者に分かり易く報知するための図柄である。」（段落【０６６２】）と記載されているから、刊行物２には、
変動表示と同期して点灯制御され、変動表示中であることを遊技者に報知するための第４図柄を表示するＬＥＤ９００
（２−ｃ）図６３には、
第４図柄ＬＥＤ９００を単独で、他の発光表示手段とは別体に設ける
　また、上記記載事項（２−ａ）においては、「第４図柄ＬＥＤ９００」により「変動表示中であること」以外のことを報知する旨の記載はなく、また、図６３には、「第４図柄ＬＥＤ９００」が一つの小さな円形の部分として図示されており、「第４図柄ＬＥＤ９００」は多様な情報を表示可能な液晶表示装置のようなものではないから、「第４図柄ＬＥＤ９００」は
変動表示中であることのみを遊技者に報知する
　上記（２−ａ）の記載事項及び（２−ｂ）、（２−ｃ）の認定事項を総合すると、刊行物２には、次の事項が記載されていると認められる（以下「刊行物２記載の事項」という。）。  
「パチンコ機１０において、他の発光表示手段とは別体に設けられ、変動表示と同期して点灯制御され、変動表示中であることのみを遊技者に報知するための第４図柄を表示するＬＥＤ９００を備える点。」
（２−３）刊行物３に記載された事項
　本願の出願前に頒布された刊行物である特開２０１３−２７４２９号公報（以下「刊行物３」という。）には、図面とともに以下の事項が記載されている（下線は当審で付した。以下同じ。）。
（３−ａ）　「【０００９】
［第１の実施の形態］
　以下、図面を用いて、本発明の第１の実施の形態に係る遊技台（例えば、パチンコ機等の弾球遊技機やスロットマシン等の回胴遊技機）について説明する。まず、図１を用いて、本実施の形態による
パチンコ機１００
（３−ｂ）　「【００６８】
　特図１始動口２３０または特図２始動口２３２に球が入賞したこと、すなわち、特図１始動口２３０に球が入球したことを第１始動口センサが検出したこと、あるいは特図２始動口２３２に球が入球したことを第２始動口センサが検出したことを条件にして、装飾図柄表示装置２０８の左図柄表示領域２０８ａ、中図柄表示領域２０８ｂ、右図柄表示領域２０８ｃの各図柄表示領域に、「装飾１」→「装飾２」→「装飾３」→・・・→「装飾９」→「装飾１０」→「装飾１」→・・・の順番で表示を切り替える「装飾図柄の変動表示」を行う。
また、装飾図柄表示装置２０８の第４図柄表示領域２０８ｅでは、所定の順番で表示を切り替える第４図柄の変動表示を行う。
（３−ｃ）　「【０１４９】
　ステップＳ６０９では、省電力モード設定処理を行う。
省電力モード設定処理では、出力設定スイッチ１６１の設定位置が「４」である場合には動作モードを省電力モードＡに設定し、設定位置が「３」である場合には動作モードを省電力モードＢに設定する。
（３−ｄ）　「【０２３７】
  本例では、これらのランプのうち、払出表示ランプ２５４、エラー表示ランプ２５６、賞球残数表示部２５０の各セグメント、および情報報知用ランプ群２５２の各ランプは、ランプ駆動回路を介さずに点灯制御されるため、遊技者による輝度調整が不可能であるとともに、省電力モードにおいても輝度が低下しない。一方、
演出用ランプ２５８は、ランプ駆動回路４２０により点灯制御されるため、ユーザー調整モードでの輝度調整が可能であるとともに、省電力モードでは輝度が低下する。
（３−ｅ）　「【０２５２】
　省電力モードでの大当り遊技中には、通常モードでの大当り遊技中と同様に、装飾図柄表示装置２０８の総払出個数報知部２０８ｆで総払出個数が出力される。ただし、
省電力モードでは、装飾図柄表示装置２０８（総払出個数報知部２０８ｆ）の表示輝度は通常モードよりも低い。
（３−ｆ）　「【０２７１】
　図２３（ｃ）は、本実施例の変形例における省電力モードでの特図１変動遊技終了直後の状態を示している。図２３（ｃ）に示すように、
省電力モード中であっても、一部の輝度を低下させない（低下できない）ようにしてもよい。図２３（ｃ）に示す例では、装飾図柄表示装置２０８のうち図柄表示領域２０８ａ〜２０８ｃおよび演出表示領域２０８ｄの表示輝度を通常モードよりも低下させているが、第４図柄表示領域２０８ｅの表示輝度は維持している。
　省電力モードの実行により装飾図柄表示装置２０８のバックライトの輝度を低下させている場合には、第４図柄表示領域２０８ｅに表示される第４図柄の明度やコントラストのみを上昇させることで、省電力モードの実行前の状態と視認性が略変化しないようにしていても良い。」
　上記（３−ａ）〜（３−ｆ）の記載事項から、以下（３−ｇ）、（３−ｈ）の事項が導かれる。
（３−ｇ）上記記載事項（３−ｄ）には「演出用ランプ２５８は、ランプ駆動回路４２０により点灯制御されるため、ユーザー調整モードでの輝度調整が可能であるとともに、省電力モードでは輝度が低下する。」（段落【０２３７】）と記載されており、上記記載事項（３−ｅ）には「省電力モードでは、装飾図柄表示装置２０８（総払出個数報知部２０８ｆ）の表示輝度は通常モードよりも低い。」（段落【０２５２】）と記載されているから、省電力モードでは、演出用ランプ２５８の輝度及び装飾図柄表示装置２０８の表示輝度が低くなるといえる。
　また、上記記載事項（３−ｃ）には、「省電力モード設定処理では、出力設定スイッチ１６１の設定位置が「４」である場合には動作モードを省電力モードＡに設定し、設定位置が「３」である場合には動作モードを省電力モードＢに設定する。」（段落【０１４９】）と記載されているから、刊行物３には、動作モードを省電力モードに設定する出力設定スイッチ１６１が記載されているといえる。
　したがって、刊行物３には、
動作モードを省電力モードに設定し、演出用ランプ２５８の輝度及び装飾図柄表示装置２０８の表示輝度を低くする出力設定スイッチ１６１
（３−ｈ）上記記載事項（３−ｂ）には「装飾図柄表示装置２０８の第４図柄表示領域２０８ｅでは、所定の順番で表示を切り替える第４図柄の変動表示を行う。」（段落【００６８】）と記載されており、また、上記記載事項（３−ｆ）には、「省電力モード中であっても、一部の輝度を低下させない（低下できない）ようにしてもよい。図２３（ｃ）に示す例では、装飾図柄表示装置２０８のうち図柄表示領域２０８ａ〜２０８ｃおよび演出表示領域２０８ｄの表示輝度を通常モードよりも低下させているが、第４図柄表示領域２０８ｅの表示輝度は維持している。」（段落【０２７１】）と記載されているから、刊行物３には、
省電力モードであっても、変動表示を行う第４図柄表示領域２０８ｅの表示輝度は低下させない
　上記（３−ａ）〜（３−ｆ）の記載事項及び（３−ｇ）、（３−ｈ）の認定事項を総合すると、刊行物３には、次の事項が記載されていると認められる（以下「刊行物３記載の事項」という。）。  
「パチンコ機１００において、動作モードを省電力モードに設定し、演出用ランプ２５８の輝度及び装飾図柄表示装置２０８の表示輝度を低くする出力設定スイッチ１６１を備え、省電力モードであっても、変動表示を行う第４図柄表示領域２０８ｅの表示輝度は低下させない点。」
（３）対比
　本願補正発明と刊行物１発明とを対比する（下記の（ａ）〜（ｉ）は、刊行物１発明の構成ａ〜ｉに対応している。）。
（ａ）刊行物１発明における「遊技の進行を制御する主制御装置７０」及び「遊技の進行に伴う演出の制御を行う演出制御装置１２４」は、それぞれ、本願補正発明における「遊技を制御する第１制御手段」及び「遊技を制御する」「第２制御手段」に相当する。
（ｂ）刊行物１発明の「右始動入賞口２６に遊技球が流入すること」、「特別図柄の変動表示を開始」すること、「遊技者にとって有利な特別遊技状態に移行する」こと、及び「第１特別図柄表示装置３４」は、それぞれ、本願補正発明の「始動条件が成立する」こと、「変動表示を開始」すること、「遊技者にとって有利な特別遊技が発生すること」及び「変動表示手段」に相当する。また、刊行物１発明は、「遊技者にとって有利な特別遊技状態に移行する場合に当りの態様で特別図柄を停止表示する」から、「当りの態様で特別図柄を停止表示」することは、遊技者にとって有利な特別遊技が発生することを報知することといえる。
　したがって、刊行物１発明における「主制御装置７０により制御され、右始動入賞口２６に遊技球が流入することを契機として特別図柄の変動表示を開始し、遊技者にとって有利な特別遊技状態に移行する場合に当りの態様で特別図柄を停止表示する第１特別図柄表示装置３４」は、本願補正発明における「前記第１制御手段により制御され、始動条件が成立すると変動表示を開始し、所定の当り態様が表示されると遊技者にとって有利な特別遊技が発生することを報知する変動表示手段」に相当する。
（ｃ）刊行物１発明の「各種ランプ４６〜５３及び液晶表示器４２」は、所定の表示態様に発光表示することは当業者にとって明らかであるから、本願補正発明の「所定の表示態様に発光表示する複数の発光表示手段」に相当する。
　また、刊行物１発明において、「各種ランプ４６〜５３及び液晶表示器４２」は、「主制御装置７０から送信される演出用のコマンドに基づいて制御される」ものであり、「主制御装置７０」は「遊技の進行を制御する」（構成ａ）ものであるから、「主制御装置７０から送信される演出用のコマンド」は「遊技の進行」の状態、すなわち「遊技機」の「所定の状態」に応じて送信されるものであることは明らかである。よって、刊行物１発明の「主制御装置７０から送信される演出用のコマンドに基づいて制御される各種ランプ４６〜５３及び液晶表示器４２」は、本願補正発明の「遊技機が所定の状態になった場合に所定の表示態様に発光表示する複数の発光表示手段」に相当する。
　したがって、刊行物１発明における「演出制御装置１２４により、主制御装置７０から送信される演出用のコマンドに基づいて制御される各種ランプ４６〜５３及び液晶表示器４２」は、本願補正発明における「前記第２制御手段により制御され、遊技機が所定の状態になった場合に所定の表示態様に発光表示する複数の発光表示手段」に相当する。
　また、刊行物１発明の「パチンコ遊技機１」は、本願補正発明の「遊技機」に相当する。
（ｅ）刊行物１発明の「液晶表示器４２の画面下部」の「第４図柄が表示され」る領域は、「その表示色を変化させることで変動表示を表現する第４図柄が表示され」る領域であるから、本願補正発明の「前記変動表示手段が変動中か停止中かを識別可能に報知すること」「に用いられる識別表示手段」に相当する。
　したがって、刊行物１発明における、「液晶表示器４２の画面下部には、第１特別図柄に対応し、その表示色を変化させることで変動表示を表現する第４図柄が表示され」ること、本願補正発明における「前記複数の発光表示手段は、前記変動表示手段が変動中か停止中かを識別可能に報知することのみに用いられる識別表示手段を含」むこととは、「前記複数の発光表示手段は、前記変動表示手段が変動中か停止中かを識別可能に報知すること」「に用いられる識別表示手段を含」む点で共通する。
（ｈ）刊行物１発明の「異常状態となり右始動入賞口２６への入賞が連続して５回発生した」場合、及び、「表示画面中にエラー警告文を開示し、遊技枠ランプ４６、４８、５０、５２を点灯させ」ることは、それぞれ、本願補正発明の「遊技機が所定の異常状態になった場合」及び「前記複数の発光表示手段を所定の異常報知態様に発光制御する」ことに相当する。
　また、刊行物１発明は、「異常状態等のエラーが検出されても変動表示を一旦停止したり変動時間を延長したりすることはなく、表示画面上で行われる演出については変化することなく通常通りに実行する」から、「異常状態等のエラーが検出され」た場合、「液晶表示器４２の画面下部」の「変動表示を表現する第４図柄が表示され」る領域（構成ｅ）については、「変化することなく通常通りに」演出が実行されるから、「該異常報知態様の発光制御から除外」されているといえる。
　したがって、刊行物１発明における「演出制御装置１２４は、異常状態となり右始動入賞口２６への入賞が連続して５回発生したことに対応して、表示画面中にエラー警告文を開示し、遊技枠ランプ４６、４８、５０、５２を点灯させ、また、異常状態等のエラーが検出されても変動表示を一旦停止したり変動時間を延長したりすることはなく、表示画面上で行われる演出については変化することなく通常通りに実行する」ことは、本願補正発明における「前記第２制御手段は」、「前記変更手段により前記複数の発光手段の輝度／照度が低い表示状態に変更されているときであって、遊技機が所定の異常状態になった場合、前記複数の発光表示手段を所定の異常報知態様に発光制御するものの、前記識別表示手段については該異常報知態様の発光制御から除外する」ことと、「前記第２制御手段は」、「遊技機が所定の異常状態になった場合、前記複数の発光表示手段を所定の異常報知態様に発光制御するものの、前記識別表示手段については該異常報知態様の発光制御から除外する」点で共通する。
（ｉ）刊行物１発明は、「異常状態等のエラーが検出されても変動表示を一旦停止したり変動時間を延長したりすることはなく、表示画面上で行われる演出については変化することなく通常通りに実行する」から、「異常状態等のエラーが検出され」た場合、「液晶表示器４２の画面下部」の「変動表示を表現する第４図柄が表示され」る領域（構成ｅ）は、「変化することなく通常通りに」演出が実行され、変動中か停止中かを識別可能な状態が維持されるといえる。
　したがって、刊行物１発明における「演出制御装置１２４は、異常状態となり右始動入賞口２６への入賞が連続して５回発生したことに対応して、表示画面中にエラー警告文を開示し、遊技枠ランプ４６、４８、５０、５２を点灯させ、また、異常状態等のエラーが検出されても変動表示を一旦停止したり変動時間を延長したりすることはなく、表示画面上で行われる演出については変化することなく通常通りに実行する」ことは、本願補正発明における「前記他の発光表示手段を前記異常報知態様に発光制御している場合であっても、前記識別表示手段については、前記変動表示手段が変動中か停止中かを識別可能に報知すること」に相当する。
　以上、（ａ）〜（ｉ）の対比より、本願補正発明と刊行物１発明とは、
「Ａ　遊技を制御する第１制御手段及び第２制御手段と、
Ｂ　前記第１制御手段により制御され、始動条件が成立すると変動表示を開始し、所定の当り態様が表示されると遊技者にとって有利な特別遊技が発生することを報知する変動表示手段と、
Ｃ　前記第２制御手段により制御され、遊技機が所定の状態になった場合に所定の表示態様に発光表示する複数の発光表示手段と、
　を備えた遊技機であって、
Ｅ’前記複数の発光表示手段は、前記変動表示手段が変動中か停止中かを識別可能に報知することに用いられる識別表示手段を含み、
Ｈ’前記第２制御手段は、
　遊技機が所定の異常状態になった場合、前記複数の発光表示手段を所定の異常報知態様に発光制御するものの、前記識別表示手段については該異常報知態様の発光制御から除外すると共に、
Ｉ　前記他の発光表示手段を前記異常報知態様に発光制御している場合であっても、前記識別表示手段については、前記変動表示手段が変動中か停止中かを識別可能に報知する遊技機。」
である点で一致し、以下の点で相違する。
（相違点１）識別表示手段に関し、本願補正発明は「前記変動表示手段が変動中か停止中かを識別可能に報知することのみに用いられ」（構成Ｅ）、また、「他の発光表示手段とは別体に設けられ」る（構成Ｆ）と特定されているのに対し、刊行物１発明の、「液晶表示器４２の画面下部」の「第１特別図柄に対応し、その表示色を変化させることで変動表示を表現する第４図柄が表示され」る領域は、「変動中か停止中かを識別可能に報知することのみに用いられる」ことは特定されておらず、また、「液晶表示器４２」の一部分であり、「他の発光表示手段とは別体に設けられ」たものではない点。
（相違点２）本願補正発明は「前記発光表示手段の輝度／照度を変更可能な変更手段」（構成Ｄ）を備え、「前記変更手段により前記複数の発光表示手段の輝度／照度を低い表示状態に変更する場合であっても、前記識別表示手段は前記低い表示状態に変更され」ない（構成Ｇ）のに対し、刊行物１発明はそのように特定されていない点。
（相違点３）「前記複数の発光表示手段を所定の異常報知態様に発光制御するものの、前記識別表示手段については該異常報知態様の発光制御から除外する」場合に関して、本願補正発明は「前記変更手段により前記複数の発光手段の輝度／照度が低い表示状態に変更されているときであって、遊技機が所定の異常状態になった場合」と特定されているのに対し、刊行物１発明は、「前記変更手段により前記複数の発光手段の輝度／照度が低い表示状態に変更されているとき」であることについては特定されていない点。（構成Ｈ）
（４）判断
ア　上記相違点１について検討する。
　上記（２）（２−２）で示した通り、刊行物２には、次の事項（刊行物２記載の事項）が記載されていると認められる。
「パチンコ機１０において、他の発光表示手段とは別体に設けられ、変動表示と同期して点灯制御され、変動表示中であることのみを遊技者に報知するための第４図柄を表示するＬＥＤ９００を備える点。」
　刊行物２記載の事項の「変動表示と同期して点灯制御され、変動表示中であることのみを遊技者に報知するための第４図柄を表示するＬＥＤ９００」は、「変動表示中である」と報知していない場合には停止中であることを示すことは明らかであるから、本願補正発明の「変動中か停止中かのみを識別可能に報知する」「識別表示手段」といえる。
　したがって、刊行物２記載の事項における「他の発光表示手段とは別体に設けられ、変動表示と同期して点灯制御され、変動表示中であることのみを遊技者に報知するための第４図柄を表示するＬＥＤ９００」は、本願補正発明の用語を用いて表現すると、「他の発光表示手段とは別体に設けられ」、「変動表示手段が変動中か停止中かを識別可能に報知することのみに用いられる識別表示手段」であるといえる。
　そして、刊行物１発明と刊行物２記載の事項とは、遊技機において、変動表示手段が変動中か停止中かを識別可能に報知することに用いられる識別表示手段を有する点で共通する。
　よって、刊行物１発明に刊行物２記載の事項を適用して、「液晶表示器４２の画面下部」の「第４図柄が表示され」る領域を、他の発光表示手段とは別体に設け、変動表示手段が変動中か停止中かを識別可能に報知することのみに用いられるものとし、上記相違点１に係る本願補正発明の構成とすることは、当業者が容易に想到し得たことである。
イ　上記相違点２、３について、発光表示手段の輝度／照度を変更可能な変更手段に関連する技術であるので併せて検討する。
　上記（２）（２−３）で示した通り、刊行物３には、次の事項（刊行物３記載の事項）が記載されていると認められる。
「パチンコ機１００において、動作モードを省電力モードに設定し、演出用ランプ２５８の輝度及び装飾図柄表示装置２０８の表示輝度を低くする出力設定スイッチ１６１を備え、省電力モードであっても、変動表示を行う第４図柄表示領域２０８ｅの表示輝度は低下させない点。」
　刊行物３記載の事項の「演出用ランプ２５８」及び「装飾図柄表示装置２０８」は、本願補正発明の「発光表示手段」といえる。また、刊行物３記載の事項において、「動作モードを省電力モードに設定」することで、「演出用ランプ２５８の輝度及び装飾図柄表示装置２０８の表示輝度を低くする」ことができるから、刊行物３記載の事項は、発光表示手段の輝度／照度を変更可能であるといえる。よって、刊行物３記載の事項の「動作モードを省電力モードに設定し、演出用ランプ２５８の輝度及び装飾図柄表示装置２０８の表示輝度を低くする出力設定スイッチ１６１」は、本願補正発明の「発光表示手段の輝度／照度を変更可能な変更手段」であるといえる。
　また、刊行物３記載の事項の「変動表示を行う第４図柄表示領域２０８ｅ」は、本願補正発明の「変動中か停止中かを識別可能に報知する」「識別表示手段」であるといえ、刊行物３記載の事項において、「省電力モードであっても、変動表示を行う第４図柄表示領域２０８ｅの表示輝度は低下させない」ことは、本願補正発明の「変更手段により複数の発光表示手段の輝度／照度を低い表示状態に変更する場合であっても、識別表示手段は低い表示状態に変更され」ないことといえる。
　したがって、刊行物３記載の事項は、本願補正発明の用語を用いて表現すると、「発光表示手段の輝度／照度を変更可能な変更手段」を備え、「変更手段により複数の発光表示手段の輝度／照度を低い表示状態に変更する場合であっても、識別表示手段は低い表示状態に変更され」ないものといえる。
　そして、刊行物１発明と刊行物３記載の事項とは、遊技機において、変動中か停止中かを識別可能に報知することに用いられる識別表示手段を有する点で共通し、また、遊技機において、省電力とすることは当業者にとって自明の課題であるから、刊行物１発明において、省電力とすることを可能とするために刊行物３記載の事項を適用し、発光表示手段の輝度／照度を変更可能な変更手段を設け、変更手段により複数の発光表示手段の輝度／照度を低い表示状態に変更する場合であっても、上記アにおいて示した通り他の発光表示手段とは別体に設け、変動表示手段が変動中か停止中かを識別可能に報知することのみに用いられるものとした「第４図柄が表示され」る領域（識別表示手段）は輝度／照度が低い表示状態に変更されないものとし、上記相違点２に係る本願補正発明の構成とすることは、当業者が容易に想到し得たことである。
　さらに、刊行物１発明は、「異常状態等のエラーが検出されても」「表示画面上で行われる演出については変化することなく通常通りに実行」（構成ｈ）するものであり、「液晶表示器４２の画面下部」の「第４図柄」も通常通りに表示されるものであるから、上記刊行物３記載の事項を適用した際には、変更手段により複数の発光手段の輝度／照度が低い表示状態に変更されているときであって、遊技機が所定の異常状態になった場合についても同様に、上記アにおいて示した通り他の発光表示手段とは別体に設け、変動表示手段が変動中か停止中かを識別可能に報知することのみに用いられるものとした「第４図柄が表示され」る領域が「変化することなく通常通りに」表示される（異常報知態様の発光制御から除外する）ものとすることは、当業者が当然になし得る事項にすぎない。よって、刊行物１発明に刊行物３記載の事項を適用し、上記相違点３に係る本願補正発明の構成とすることは、当業者が容易に想到し得たことである。
（５）請求人の主張について
　請求人は、審判請求書（第５頁第１６行〜第２４行）において、「引用文献１に記載された遊技機において、識別表示手段を、引用文献２に記載された遊技機の如く他の発光表示手段とは別体とすることが、当業者が容易に想到できることであったとしても、引用文献１にも引用文献２にも、本願発明のＤに係る「発光表示手段の輝度／照度を変更可能な変更手段を備えること」及び本願発明のＧに係る「変更手段により前記複数の発光表示手段の輝度／照度を低い表示状態に変更する場合であっても、識別表示手段は低い表示状態に変更されないこと」について、何ら記載も示唆もされていません。すなわち、引用文献１及び引用文献２に記載の発明は、本願発明のＤ及びＧに係る特徴を有するものではありません。」との主張をしている。
　しかしながら、上記（４）で示したとおり、刊行物１発明に刊行物３記載の事項を適用し、「発光表示手段の輝度／照度を変更可能な変更手段」を備え、「変更手段により前記複数の発光表示手段の輝度／照度を低い表示状態に変更する場合であっても、識別表示手段は低い表示状態に変更され」ない構成とすることは、当業者が容易に想到し得たことであるから、請求人の上記主張は採用することができない。
（６）まとめ
　以上のように、本願補正発明は、当業者が刊行物１発明、刊行物２記載の事項及び刊行物３記載の事項に基づいて容易に発明をすることができたものであるから、特許法第２９条第２項の規定により、特許出願の際独立して特許を受けることができない。
４ 補正却下の決定についてのむすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正は上記のとおり却下されたので、本願の請求項に係る発明は、平成２８年６月２４日付けの手続補正書により補正された特許請求の範囲に記載されたとおりのものであり、その請求項１に係る発明（以下「本願発明」という。）は次のとおりである（Ａ〜Ｉは、分説するために当審にて付した。）。
「【請求項１】
Ａ　遊技を制御する第１制御手段及び第２制御手段と、
Ｂ　前記第１制御手段により制御され、始動条件が成立すると変動表示を開始し、所定の当り態様が表示されると遊技者にとって有利な特別遊技が発生することを報知する変動表示手段と、
Ｃ　前記第２制御手段により制御され、遊技機が所定の状態になった場合に所定の表示態様に発光表示する複数の発光表示手段と
　を備えた遊技機であって、
Ｅ　前記複数の発光表示手段は、前記変動表示手段が変動中か停止中かを識別可能に報知することのみに用いられる識別表示手段を含み、
Ｆ　前記識別表示手段は、他の発光表示手段とは別体に設けられ、
Ｈ”前記第２制御手段は、
　遊技機が所定の異常状態になった場合、前記複数の発光表示手段を所定の異常報知態様に発光制御するものの、前記識別表示手段については該異常報知態様の発光制御から除外すると共に、
Ｉ　前記他の発光表示手段を前記異常報知態様に発光制御している場合であっても、前記識別表示手段については、前記変動表示手段が変動中か停止中かを識別可能に報知することを特徴とする遊技機。」
２　刊行物
　刊行物１及びその記載事項並びに刊行物１発明は、上記「第２　３（２）（２−１）」に記載したとおりである。また、刊行物２及びその記載事項並びに刊行物２記載の事項は、上記「第２　３（２）（２−２）」に記載したとおりである。
３　対比・判断
　本願発明は、上記「第２　３（１）」で検討した本願補正発明から、「前記発光表示手段の輝度／照度を変更可能な変更手段」を備え、「前記変更手段により前記複数の発光表示手段の輝度／照度を低い表示状態に変更する場合であっても、前記識別表示手段は前記低い表示状態に変更され」ないという事項を省き、また、本願補正発明の「前記変更手段により前記複数の発光手段の輝度／照度が低い表示状態に変更されているときであって、遊技機が所定の異常状態になった場合、前記複数の発光表示手段を所定の異常報知態様に発光制御するものの、前記識別表示手段については該異常報知態様の発光制御から除外する」との事項から、「前記変更手段により前記複数の発光手段の輝度／照度が低い表示状態に変更されているときであって」との限定を省いたものである。
　本願発明と刊行物１発明とを対比する。
　上記「第２　３（３）」における検討を踏まえると、本願発明と刊行物１発明とは、
「Ａ　遊技を制御する第１制御手段及び第２制御手段と、
Ｂ　前記第１制御手段により制御され、始動条件が成立すると変動表示を開始し、所定の当り態様が表示されると遊技者にとって有利な特別遊技が発生することを報知する変動表示手段と、
Ｃ　前記第２制御手段により制御され、遊技機が所定の状態になった場合に所定の表示態様に発光表示する複数の発光表示手段と
　を備えた遊技機であって、
Ｅ’前記複数の発光表示手段は、前記変動表示手段が変動中か停止中かを識別可能に報知することに用いられる識別表示手段を含み、
Ｈ”前記第２制御手段は、
　遊技機が所定の異常状態になった場合、前記複数の発光表示手段を所定の異常報知態様に発光制御するものの、前記識別表示手段については該異常報知態様の発光制御から除外すると共に、
Ｉ　前記他の発光表示手段を前記異常報知態様に発光制御している場合であっても、前記識別表示手段については、前記変動表示手段が変動中か停止中かを識別可能に報知する遊技機。」
である点で一致し、構成Ｅ、Ｆに関して、上記「第２　３（３）」で検討した相違点１で相違する。
　そして、上記相違点１については、上記「第２　３（４）ア」で検討したとおりであり、刊行物１発明において刊行物２記載の事項を適用し、相違点１に係る本願発明の構成とすることは、当業者が容易に想到し得たことである。
　よって、本願発明は、当業者が刊行物１発明及び刊行物２記載の事項に基づいて容易に発明をすることができたものである。
４　むすび
　以上のとおりであるから、本願発明は、特許法第２９条第２項の規定により特許を受けることができない。
　したがって、本願は、拒絶されるべきものである。
　よって、結論のとおり審決する。